(57)【要約】【課題】垂直同期信号の周波数が異なる入力信号が入力される場合においても、騒音が大きくなることやモーターの寿命が短くなることなく、カラーブレーキングを許容範囲とする。【解決手段】  入力信号の垂直同期信号周波数に応じてカラーホイール１５の回転速度を制御するカラーホイールモーター制御部１４において、入力信号の垂直同期信号周波数毎に異なる係数を、該垂直同期信号周波数に乗算することによりカラーホイール１５の回転速度を設定する。【選択図】図１
2005079795.tif 000002
【特許請求の範囲】
【請求項１】
入力信号に応じた画像が出力される画像出力手段と、該画像出力手段から出力された画像をカラー表示するためのカラーホイールと、該カラーホイールの回転を制御する回転制御手段とを少なくとも有し、前記回転制御手段が、前記入力信号の垂直同期信号周波数に応じて前記カラーホイールの回転速度を制御し、前記画像出力手段から出力された画像が前記カラーホイールを介してカラー画像として表示出力される画像表示装置において、
前記回転制御手段は、前記入力信号の垂直同期信号周波数毎に異なる係数を、該垂直同期信号周波数に乗算することにより前記カラーホイールの回転速度を設定することを特徴とする画像表示装置。
【請求項２】
請求項１に記載の画像表示装置において、
前記回転制御手段は、前記入力信号の垂直同期信号周波数が異なる場合であっても、前記カラーホイールの回転速度が略同一となるように前記係数を設定することを特徴とする画像表示装置。
【請求項３】
入力信号に応じた画像が出力される画像出力手段と、該画像出力手段から出力された画像をカラー表示するためのカラーホイールと、該カラーホイールの回転を制御する回転制御手段とを少なくとも有し、前記回転制御手段が、前記入力信号の垂直同期信号周波数に応じて前記カラーホイールの回転速度を制御し、前記画像出力手段から出力された画像が前記カラーホイールを介してカラー画像として表示出力される画像表示装置における画像表示方法であって、
前記入力信号の垂直同期信号周波数毎に異なる係数を、該垂直同期信号周波数に乗算することにより前記カラーホイールの回転速度を設定することを特徴とする画像表示方法。
【請求項４】
請求項３に記載の画像表示方法において、
前記入力信号の垂直同期信号周波数が異なる場合であっても、前記カラーホイールの回転速度が略同一となるように前記係数を設定することを特徴とする画像表示方法。
【発明の詳細な説明】
【技術分野】
【０００１】
本発明は、画像表示装置及び画像表示装置における画像表示方法に関し、特に、カラーホイールを用いた画像表示装置及び画像表示装置における画像表示方法に関する。
【背景技術】
【０００２】
従来より、例えば、ＬＣＯＳ（反射型液晶パネル）やＤＭＤ（デジタル・マイクロミラー・デバイス）等の単板型反射表示デバイスを用いたプロジェクションシステムにおいては、出力された画像をカラー表示するためにカラーホイールが用いられている。
【０００３】
このようなカラーホイールは、略円板状の保持部材の周辺に、それぞれ赤、緑及び青の波長を透過させるように構成され、このカラーホイールが回転することによってカラー画像が表示出力されることになる。また、カラーホイールの回転制御においては、入力信号の垂直同期信号が一般テレビ規格である信号については、その垂直同期信号のＮ倍（Ｎは自然数）に同期して回転するように行われている。なお、カラーホイールがＲＧＢもしくはＲＧＢ及び白で構成された場合はＮ倍となるように制御されるが、ＲＧＢＲＧＢ等で構成されるカラーホイールについてはＮ／２倍となるように制御される（例えば、特許文献１参照。）。
【特許文献１】特開２００３−１６９２４６号公報
【発明の開示】
【発明が解決しようとする課題】
【０００４】
上記のように、カラーホールの回転速度が、入力信号の垂直同期信号の周波数のＮ倍となるように制御される場合、例えば、ＮＴＳＣやＰＡＬのように、垂直同期信号の周波数がＮＴＳＣでは６０（５９．９４）Ｈｚ、ＰＡＬでは５０Ｈｚのように異なる場合、カラーホイールの回転速度が６０×Ｎ（Ｈｚ）と５０×Ｎ（Ｈｚ）になり、互いに異なるものとなる。
【０００５】
ここで、カラーホイールを使用したシステムにおいては、カラーブレーキング（色われ）が生じることになるが、上述したようにカラーホイールの回転速度が６０×Ｎ（Ｈｚ）と５０×Ｎ（Ｈｚ）とで異なる場合、このカラーブレーキングにおいては、入力信号がＮＴＳＣの場合は許容範囲となるレベルのものであっても、入力信号がＰＡＬの場合では許容範囲を越えてしまうという問題点がある。また、入力信号の垂直同期信号の周波数が５０Ｈｚのときのカラーブレーキングが許容範囲となるまでカラーホイールモーターの回転速度を上げた場合は、入力信号の垂直同期信号の周波数が６０Ｈｚの場合においてもカラーホイールモーターの回転速度が上がるため、騒音が大きくなるとともに、カラーホイールを回転させるためのモーター寿命が短くなるという問題点がある。
【０００６】
本発明は、上述したような従来の技術が有する問題点に鑑みてなされたものであって、垂直同期信号の周波数が異なる入力信号が入力される場合においても、騒音が大きくなることやモーターの寿命が短くなることなく、カラーブレーキングを許容範囲とすることができる画像表示装置及び画像表示装置における画像表示方法を提供することを目的とする。
【課題を解決するための手段】
【０００７】
上記目的を達成するために本発明は、
入力信号に応じた画像が出力される画像出力手段と、該画像出力手段から出力された画像をカラー表示するためのカラーホイールと、該カラーホイールの回転を制御する回転制御手段とを少なくとも有し、前記回転制御手段が、前記入力信号の垂直同期信号周波数に応じて前記カラーホイールの回転速度を制御し、前記画像出力手段から出力された画像が前記カラーホイールを介してカラー画像として表示出力される画像表示装置において、
前記回転制御手段は、前記入力信号の垂直同期信号周波数毎に異なる係数を、該垂直同期信号周波数に乗算することにより前記カラーホイールの回転速度を設定することを特徴とする。
【０００８】
また、前記回転制御手段は、前記入力信号の垂直同期信号周波数が異なる場合であっても、前記カラーホイールの回転速度が略同一となるように前記係数を設定することを特徴とする。
【０００９】
また、入力信号に応じた画像が出力される画像出力手段と、該画像出力手段から出力された画像をカラー表示するためのカラーホイールと、該カラーホイールの回転を制御する回転制御手段とを少なくとも有し、前記回転制御手段が、前記入力信号の垂直同期信号周波数に応じて前記カラーホイールの回転速度を制御し、前記画像出力手段から出力された画像が前記カラーホイールを介してカラー画像として表示出力される画像表示装置における画像表示方法であって、
前記入力信号の垂直同期信号周波数毎に異なる係数を、該垂直同期信号周波数に乗算することにより前記カラーホイールの回転速度を設定することを特徴とする。
【００１０】
また、前記入力信号の垂直同期信号周波数が異なる場合であっても、前記カラーホイールの回転速度が略同一となるように前記係数を設定することを特徴とする。
【００１１】
上記のように構成された本発明においては、入力信号に応じた画像が画像出力手段から出力されると、画像出力手段から出力された画像はカラーホイールを介してカラー画像として表示出力される。この際、カラーホイールの回転速度は、入力信号の垂直同期信号周波数に応じて制御されることになるが、入力信号の垂直同期信号周波数毎に異なる係数を、該垂直同期信号周波数に乗算することによりカラーホイールの回転速度が制御されるので、入力信号の垂直同期信号周波数が異なる場合であっても、カラーホイールの回転速度が略同一となるように制御することができるようになる。
【００１２】
このように、入力信号の垂直同期信号周波数が異なる場合であっても、カラーホイールの回転速度が略同一となるように制御すれば、垂直同期信号の周波数が異なる入力信号が入力される場合においても、騒音が大きくなることやモーターの寿命が短くなることなく、カラーブレーキングを許容範囲とすることができる。
【発明の効果】
【００１３】
以上説明したように本発明においては、入力信号に応じた画像が出力される画像出力手段と、該画像出力手段から出力された画像をカラー表示するためのカラーホイールと、該カラーホイールの回転を制御する回転制御手段とを少なくとも有し、回転制御手段が、入力信号の垂直同期信号周波数に応じてカラーホイールの回転速度を制御し、画像出力手段から出力された画像がカラーホイールを介してカラー画像として表示出力される画像表示装置において、回転制御手段にて、入力信号の垂直同期信号周波数毎に異なる係数を、該垂直同期信号周波数に乗算することによりカラーホイールの回転速度が設定される構成であるため、入力信号の垂直同期信号周波数が異なる場合であっても、カラーホイールの回転速度が略同一となるように制御することができるようになる。
【００１４】
これにより、入力信号の垂直同期信号周波数が異なる場合であっても、カラーホイールの回転速度が略同一となるように定数を設定する構成とすれば、垂直同期信号の周波数が異なる入力信号が入力される場合においても、騒音が大きくなることやモーターの寿命が短くなることなく、カラーブレーキングを許容範囲とすることができる。
【発明を実施するための最良の形態】
【００１５】
以下に、本発明の実施の形態について図面を参照して説明する。
【００１６】
図１は、本発明の画像表示装置の実施の一形態を示す図である。
【００１７】
本形態は図１に示すように、入力された映像信号を解像度変換し、解像度変換した映像信号を出力するとともに、入力された映像信号の垂直同期信号を含む同期信号を映像信号と同期したタイミングで出力する入力信号処理部１１と、入力信号処理部１１にて解像度変換された映像信号を所定の信号形態に変換して出力するパネル画素制御部１２と、パネル画素制御部１２から出力された映像信号が画像として表示出力される画像出力手段である表示パネル１３と、不図示のモーターによって回転し、表示パネル１３から出力された画像をカラー表示するためのカラーホイール１５と、入力信号処理部１１から出力された垂直同期信号の周波数に応じてカラーホイール１５の回転速度を制御する回転制御手段であるカラーホイールモーター制御部１４とから構成されており、表示パネル１３から出力された画像がカラーホイール１５を介してカラー画像として表示出力される。なお、入力信号処理部１１においては、入力された映像信号が表示パネル１３の解像度に解像度変換され、また、パネル画素制御部１２においては、入力信号処理部１１にて解像度変換された映像信号が表示パネル１３に適した信号形態に変換される。
【００１８】
以下に、上記のように構成された画像表示装置における画像表示方法について説明する。
【００１９】
入力信号処理部１１に映像信号が入力されると、入力信号処理部１１にて入力された映像信号が解像度変換され、出力される。また、入力された映像信号の垂直同期信号を含む同期信号が映像信号と同期したタイミングで出力される。なお、これら解像度変換された映像信号と同期信号とは一対をなしている。
【００２０】
入力信号処理部１１から出力された映像信号はパネル画素制御部１２に入力され、また、入力信号処理部１１から出力された同期信号はパネル画素制御部１２及びカラーホイールモーター制御部１４に入力される。
【００２１】
パネル画素制御部１２においては、入力信号処理部１１にて解像度変換された映像信号が、表示パネル１３の信号形態に変換されて出力され、それにより、表示パネル１３が駆動し、入力信号処理部１１にて解像度変換された映像信号が画像として表示パネル１３にて表示出力される。
【００２２】
一方、カラーホイールモーター制御部１４においては、入力信号処理部１１から出力された垂直同期信号の周波数に応じて、カラーホイール１５を回転させるモーターが制御され、それにより、カラーホイール１５の回転速度が制御される。例えば、本形態においては、カラーホイール１５がＲＧＢＲＧＢ構成の６セグメントカラーホイールであって、入力信号処理部１１に入力された映像信号の同期垂直信号の周波数が５０Ｈｚの場合、カラーホイール１５の回転速度が、同期垂直信号の周波数の２．５倍（ＲＧＢ５倍速相当）の１２５Ｈｚとなるようにモーターが制御され、また、入力信号処理部１１に入力された映像信号の同期垂直信号の周波数が６０Ｈｚの場合、カラーホイール１５の回転速度が、同期垂直信号の周波数の２倍（ＲＧＢ４倍速相当）の１２０Ｈｚとなるようにモーターが制御される。このように、カラーホイールモーター制御部１４において、入力信号処理部１１に入力された映像信号の同期垂直信号の周波数に対して、カラーホイール１５の回転速度が、１２５Ｈｚ，１２０Ｈｚと略同一となるような係数（２．５，２）が乗算され、それにより、入力信号処理部１１に入力される映像信号の同期垂直信号によらずに、ほぼ同じような速度でカラーホイール１５が回転することになる。
【００２３】
これにより、垂直同期信号の周波数が異なる入力信号が入力される場合においても、騒音が大きくなることやモーターの寿命が短くなることなく、カラーブレーキングを許容範囲とすることができる。
【図面の簡単な説明】
【００２４】
【図１】図１は、本発明の画像表示装置の実施の一形態を示す図である。
【符号の説明】
【００２５】
１１    入力信号処理部
１２    パネル画素制御部
１３    表示パネル
１４    カラーホイールモーター制御部
１５    カラーホイール
【図１】
2005079795.tif 000003